(57)【要約】      （修正有）【課題】保管や装着が簡単で、かさばらず、大きくボリュームアップした状態にセットした髪形が型崩れせず、耐久性に優れるとともに安全性の高い頭髪整形補助具を提供する。【解決手段】両端部分で連結された大小２つの円弧もしくは台形（円弧状）により、当該円弧状部分の中央部が頭髪を嵩あげするために離間させてなる本体部と、当該本体部に頭髪保持手段とを弾性を有する軟性合成樹脂乃至天然ラテックスで形成した。【選択図】図１
0003152682.tif 000002
【実用新案登録請求の範囲】
【請求項１】
両端部分で連結された大小２つの円弧もしくは台形（以下円弧状という）により、当該円弧状部分の中央部が頭髪を嵩あげするために離間させてなる本体部と、当該本体部を、弾性を有する軟性合成樹脂乃至天然ラテックスで形成するとともに、本体部の少なくとも下面に頭髪保持手段を設けたことを特徴とする頭髪整形補助具。
【請求項２】
本体部が同一形状に形成された二つ割りに形成された割形片を組み合わせて形成されていることを特徴とする請求項１に記載の頭髪整形補助具。
【請求項３】
頭髪保持手段が、本体部の少なくとも下面に粘着層が形成されていることを特徴とする請求項１または請求項２に記載の頭髪整形補助具。
【請求項４】
本体部をシリコン樹脂で成型することにより、少なくとも本体部の下面にシリコン樹脂による滑り止め面が形成され、当該滑り止め面で頭髪保持手段が形成されていることを特徴とする請求項１または請求項２に記載の頭髪整形補助具。
【考案の詳細な説明】
【技術分野】
【０００１】
本考案は、所望する髪形を簡単に形成するための頭髪整形補助具に関するものである。
【背景技術】
【０００２】
頭髪を整えるときに使用するものとしては、特許文献１に示される一般に「カチューシャ」といわれる頭髪バンド形式のものや特許文献２に示される頭髪用のクリップが知られている。
【０００３】
上記カチューシャは、主として前髪が垂れてきたり、風等で髪が乱れたりするのを防止するために髪をおさえこむためのものであり、頭髪用のクリップは、束ねた髪を固定するものであることから、長い頭髪を嵩上げしてボリュームアップするときに使用することができない。
また、上記カチューシャや頭髪用クリップは金属製もしくは硬質の合成樹脂性となっていることから、装着時には違和感があるだけでなく頭髪に局部的な張力を与えやすく、頭髪や毛根をいためる虞があった。
【０００４】
さらに。上記のように、硬質のカチューシャや頭髪用クリップを装着した状態で他物が当たったりすると頭皮をも傷つけてしまうという安全性にも問題があった。
一方、頭髪をボリュームアップする場合、一般的には自分の髪で逆毛を立てたり、添え毛、付け毛や足し毛といわれる「髢」が使用されたりしている。
【０００５】
ところが、逆毛を立てる場合、髪への負担、特に毛根部分への負担が大きく、髪を傷めたり、抜け毛の原因になったりする。
また、「髢」を使用する場合、「髢」は毛髪と同様、湿度や温度、時間経過等で徐々に変化しやすく、セットした形状を長く保つことが難しいという問題があった。
また、「髢」はかさばる上に保管等が難しい上に、一人で装着するのは至難の技であることから、若い女性に広く普及していないのが現状である。
【先行技術文献】
【特許文献】
【０００６】
【特許文献１】特開２０００−９３２２７号公報
【特許文献２】特開２００９−８２６９０号公報
【考案の概要】
【考案が解決しようとする課題】
【０００７】
そこで、本考案にかかる頭髪整形補助具は、上記問題点に鑑みて提案されたもので、保管や装着が簡単で、かさばらず、大きくボリュームアップした状態にセットした髪形が型崩れせず、耐久性に優れるとともに安全性の高い頭髪整形補助具を提供することができるようにすることを目的とするものである。
【課題を解決するための手段】
【０００８】
上記目的を達成するために、本考案にかかる頭髪整形補助具は、両端部分で連結された大小２つの円弧もしくは台形（以下円弧状という）により、当該円弧状部分の中央部が頭髪を嵩あげするために離間させてなる本体部と、当該本体部を、弾性を有する軟性合成樹脂乃至天然ラテックスで形成するとともに、本体部の少なくとも下面に頭髪保持手段を設けたことを最も主要な特徴とするものである。
【０００９】
本考案にかかる頭髪整形補助具では、本体部が同一形状に形成された二つ割りに形成された割形片を組み合わせて形成されていることや、頭髪保持手段が、本体部の少なくとも下面に粘着層が形成されていること、さらには、本体部をシリコン樹脂で成型することにより、少なくとも本体部の下面にシリコン樹脂による滑り止め面が形成され、当該滑り止め面で頭髪保持手段が形成されていることも特徴とするものである。
【考案の効果】
【００１０】
本考案にかかる頭髪整形補助具は、両端部分で連結された大小２つの円弧もしくは台形により、当該円弧状部分の中央部が頭髪を嵩あげするために離間させてなる本体部と、当該本体部に頭髪保持手段とを弾性を有する軟性合成樹脂乃至天然ラテックスで形成してあるので、弾性を有することから、この頭髪整形補助具を装着して頭髪のボリュームアップいる頭部に他物が接触しても、その衝撃は頭髪整形補助具が変形性吸収する。
したがって頭部への衝撃の伝達が防止されるので、毛や毛根にダメージが作用するのが可及的に防止されるとともに頭皮等が傷付いたりするのを未然に防止でき、安全性の高いものにするができる。
【００１１】
他物の接触等により、頭髪整形補助具が一旦押圧されてもその押圧力が消滅すると、頭髪整形補助具の弾性復帰力により、再びセットされた形状に復帰するのでセットされた髪形が崩れるのが長きにわたって防止できる利点もある。
【００１２】
加えて、本考案にかかる頭髪整形補助具において、頭髪保持手段が、本体部の少なくとも下面に粘着層を形成したものでは、当該頭髪整形補助具をしっかりと固定することができ、滑ることがないので、上記効果に加えて髪形が崩れることが無く、美しい髪形を長時間にわたって維持することができる利点もある。
【００１３】
また、本体部が同一形状に形成された二つ割りに形成された割形片を組み合わせて形成するようにしたものでは、本体部を形成するために金型の点数を半減することができ、安価に実施することができる利点もある。
【００１４】
さらには、頭髪保持手段が、本体部をシリコン樹脂で成型することにより、少なくとも本体部の下面に当該シリコン樹脂による滑り止め面を形成するようにしたものでは、特別な滑り止めの構成を講じなくてもすみ、安価実施することができる利点もある。
【図面の簡単な説明】
【００１５】
【図１】は本考案にかかる頭髪整形補助具の正面図である。
【図２】は本考案にかかる頭髪整形補助具の側面図である。
【図３】は図１のＡ―Ａ断面図である。
【図４】は本考案にかかる頭髪整形補助具の使用手順を示す斜視図である。
【図５】は本考案にかかる頭髪整形補助具の使用手順を示す斜視図である。
【図６】は本考案にかかる頭髪整形補助具の使用手順を示す斜視図である。
【図７】は本考案にかかる頭髪整形補助具の変形例を示す正面図である。
【考案を実施するための形態】
【００１６】
以下、本考案の頭髪整形補助具にかかる最も好ましい実施の形態を図面に基づいて説明する。
【実施例】
【００１７】
図１は本考案にかかる頭髪整形補助具の正面図、図２は頭髪整形補助具の側面図、図３は図１のA―A線断面図であって、図中符号１は頭髪整形補助具を全体的に示す。
この頭髪整形補助具１は、両端部分で連結された曲率の大きな円弧２の上に曲率の小さな円弧３の大小２つの円弧により半月状に形成された本体部４と、この本体部の上面及び下面の夫々に形成された頭髪保持部１６・１７とを備えてなる。
尚、大小２つの円弧２・３により形成される半月状の本体部４は、必ずしも円弧で形成されたものに限られず、図示は省略したが大小２つの台形あるいは本体部の上部もしくは下部のいずれかが台形であってもよく、以後、これらを含めて本体部４の形状を円弧状という。
【００１８】
上記本体部４は弾性を有する軟質のシリコン樹脂で２つの割形片７・８を組み付けて形成されている。
斯くして本体部４を軟質のシリコン樹脂で成形することにより、本体部４の上面５および下面６がシリコン樹脂の有する粘着性により、頭髪保持部１６・１７として作用する。
この割形片７・８は、曲率の大きな円弧２の上に曲率の小さな円弧３をその両端部で連結することにより、中央部分が離間し、その空間が左右の両端側で徐々に狭くなる三日月形に形成されており、空間の中間部分には３本の縦桟９で支えられた１本の横桟１０からなる補強用リブ１４が形成されている。
【００１９】
また、割形片７・８の裏面（割形片同士を接合する面）側には中央部分を線対称とする位置に突起１１とこれが嵌合する嵌合用の穴１２とが１組ずつ形成されている。
ここで、弾性を有する軟質のシリコン樹脂とは、装着する頭髪１３の成形時にその髪１３から受ける圧力に耐える程度の弾性乃至可撓性を備えるものであればよい。
そして、前記大小２つの円弧２・３の部分の間に形成される補強用リブ１４は本体部分４が成形されるときに一体に形成されている。
【００２０】
上記のように構成された頭髪整形補助具１を用いて頭髪１３をボリュームアップするための使用手順を次に説明する。
先ず、割形片７・８の裏面同士向かい合わせにし、一方の割形片７の突起１１とこれが対面する他方の割形片８の嵌合用の穴１２とを嵌合させて図１に示す頭髪整形補助具１を形成する。
この突起１１と嵌合用の穴１２との嵌合には摩擦嵌合によりしっかりと嵌合するようになっているが、接着剤により固定することも可能である。
【００２１】
次に、ボリュームアップする部分の頭髪１３の一部（例えば半分）を掴みあげ、図４に示すように、頭髪整形補助具１の下面の頭髪保持部１６を残された頭髪に載せると、軟質のシリコン樹脂の粘着性により、頭髪整形補助１が下部の頭髪１３に固定される。
頭髪整形補助具１が下部の頭髪１３にしっかりと固定されると、これまで掴みあげていた髪１３を頭髪整形補助具１の上面部分を覆うように降ろすと、頭髪整形補助具１は頭髪１３内に隠れる。
【００２２】
斯くして、頭髪１３内に装着された頭髪整形補助具１は、縦桟９と横桟１０からなる補強用リブ１４により、円弧状部分が大きく形成されており、頭髪１３のかさ上げを大きくボリュームアップしながら、頭髪１３によりずれ動くことなくしっかりと固定される。
【００２３】
これにより、頭髪整形補助具１で整えられた髪形は、湿度や雨・風、温度等によっても型崩れすることがなく、その髪形を長く維持することができる。
以上の説明で明らかなように、本考案の頭髪整形補助具１による頭髪１３のかさ上げ整形のおいて、頭髪整形補助具１は従前のクリップや櫛と同様に使用できるので、一人でも手早く、簡単に行える。
【００２４】
因みに、上記のようにして頭髪１３の中に本考案にかかる頭髪整形補助具１を設けて髪形を整形した後、図示は省略したが、左右の側方の頭髪を寄せて頭髪整形補助具１の後方部分（後頭部分）でまとめてバンドやクリップで固定すると、髪形の保持性能をいっそう向上させることができる利点がある。
また、上記実施の形態では、頭髪整形補助具１の本体部を、２つ割形片を組み付けて形成するようにしてあるがこうしたものに限られず、１つものとして樹脂成型することも可能である。
【００２５】
尚、上記実施の形態では、弾性を有する軟質のシリコン樹脂で頭髪整形補助具１を成型するようにしてあるが、こうした合成樹脂に限られず、例えば天然ラテックスや軟質ビニルで形成することもできる。
【００２６】
また、上記実施の形態における軟質のシリコン樹脂や、その他のエラストマーでは、その表面が一般的に滑りとめ効果を有することから、当該表面の滑りとめ効果を直接利用して頭髪保持部１６・１７を形成するようにしてあるが、図７に示すように頭髪整形補助具１の上面５および下面６に突片２５や櫛歯２６を形成することは可能であり、図示は省略したが、上記実施の形態における軟質のシリコン樹脂で形成された本体部の円弧状の上面または／および下面に粘着層を形成することもできる。
【符号の説明】
【００２７】
１・・・頭髪整形補助具
２・３・・・円弧
４・・・本体部
７・８・・・割形片
１３・・・頭髪
１６・１７・・・頭髪保持部
【図１】
0003152682.tif 000003
【図２】
0003152682.tif 000004
【図３】
0003152682.tif 000005
【図４】
0003152682.tif 000006
【図５】
0003152682.tif 000007
【図６】
0003152682.tif 000008
【図７】
0003152682.tif 000009